(57)【特許請求の範囲】
【請求項１】
内部に、片持ち状に延出する形態のランスとそのランスの撓み空間とが形成されているハウジングと、
このハウジングに挿入される端子金具と、
前記ハウジングに対し、撓み規制部を前記撓み空間外へ退避させて前記ランスの弾性撓みを許容する仮係止位置と、前記撓み規制部を前記撓み空間内に進入させて前記ランスの弾性撓みを規制する本係止位置との間での移動を可能に組み付けられるリテーナとを備えてなり、
前記リテーナを仮係止位置に組み付けた状態で前記ハウジングに前記端子金具を挿入し、その挿入の途中で前記端子金具が前記ランスに当接してそのランスを前記撓み空間側へ弾性撓みさせ、
前記端子金具が正規挿入された状態では前記ランスが弾性復帰して前記端子金具に対して抜け規制状態に係止し、
前記端子金具が前記ランスにより抜け規制された状態から前記リテーナを本係止位置へ移動させることで、前記ランスの前記端子金具からの解離を規制するようにしたコネクタにおいて、
前記撓み規制部と前記ランスのうち少なくとも前記ランスには、前記ランスの弾性撓み方向と前記リテーナの仮係止位置と本係止位置との間の移動方向の両方向に対して斜めをなすガイド斜面が形成され、
前記ランスにおける前記ガイド斜面の形成領域は、前記ランスの先端から基端に亘っており、
前記リテーナが正規の前記仮係止位置よりも前記本係止位置側へ位置ずれした状態では、前記ランスが前記ガイド斜面を介して前記撓み規制部と摺接しつつ前記撓み空間側へ弾性撓みし得る構成としたことを特徴とするコネクタ。
【請求項２】
前記リテーナが板状のリテーナ本体部を有しているとともに、前記ハウジング内には前記リテーナ本体部の進入を許容するリテーナ収容空間が前記撓み空間と連通する形態で形成されており、
前記リテーナ本体には、前記リテーナが仮係止位置にあるときに前記撓み空間と重なるように位置することで前記ランスの弾性撓みを許容する複数の逃がし空間が、貫通孔状に開口して並列状に形成され、
前記リテーナ本体部における隣り合う前記逃がし空間の間の梁状部分が、両端を前記リテーナ本体部に支持された形態の前記撓み規制部とされていることを特徴とする請求項１記載のコネクタ。
【発明の詳細な説明】
【０００１】
【発明の属する技術分野】
本発明は、端子金具を抜止めするためのリテーナを備えたコネクタに関するものである。
【０００２】
【従来の技術】
従来、端子金具を抜止めするためのリテーナを備えたコネクタとしては、端子金具が挿入されるハウジング内に、ランスとランスの撓み空間を形成するとともに、そのハウジングに対し、撓み規制部を有するリテーナを仮係止位置と本係止位置との間での変位を可能に組み付けるようにしたものがある。
【０００３】
端子金具を組み付ける際には、予め、リテーナを仮係止位置に組み付けてその撓み規制部を撓み空間外へ退避させておく。その状態で端子金具を挿入すると、挿入途中では端子金具がランスと干渉してさのランスを撓み空間内へ進出させるように弾性撓みさせ、端子金具が正規挿入位置に達すると、ランスが弾性復帰して端子金具に係止し、もって端子金具が抜け止めされる。
この後、リテーナを本係止位置に移動させると、その撓み規制部が撓み空間内に進入し、ランスの撓み空間への弾性撓み、即ちランスが端子金具から解離する方向への弾性撓みを規制する。以上により、端子金具は、ランスによる一次係止とリテーナによる二次係止によって確実に抜け止めされた状態に保持される。
【０００４】
尚、リテーナの撓み規制部をランスの撓み空間内に進入させることでランスの弾性撓みを規制して端子金具を抜け止めするコネクタとしては、実開昭６１−９０１７４号公報に開示されているものがある。
【０００５】
【発明が解決しようとする課題】
一般に、リテーナを仮係止位置と本係止位置との間で移動させるようにしたコネクタでは、寸法公差に起因するクリアランスのために、リテーナがハウジングに対してガタ付きを生じることは避けられない。そのため、上記ように端子金具を挿入するときにリテーナを仮係止位置に組み付けてその撓み規制部を撓み空間外へ退避させておくようにしたコネクタでは、仮係止位置にあるリテーナが本係止位置側へ位置ずれしたときに、撓み規制部の一部が撓み空間内に進入し、ランスの撓み空間側への弾性撓みできなくなってしまう虞がある。このようになると、端子金具は、ランスとの干渉のために挿入動作が途中で規制されてしまうことになる。
【０００６】
本願発明は上記事情に鑑みて創案され、リテーナが正規の仮係止位置から本係止位置側へ位置ずれしていても端子金具の挿入動作に支障を来すのを回避することを目的としている。
【０００７】
【課題を解決するための手段】
請求項１の発明は、内部に、片持ち状に延出する形態のランスとそのランスの撓み空間とが形成されているハウジングと、このハウジングに挿入される端子金具と、前記ハウジングに対し、撓み規制部を前記撓み空間外へ退避させて前記ランスの弾性撓みを許容する仮係止位置と、前記撓み規制部を前記撓み空間内に進入させて前記ランスの弾性撓みを規制する本係止位置との間での移動を可能に組み付けられるリテーナとを備えてなり、前記リテーナを仮係止位置に組み付けた状態で前記ハウジングに前記端子金具を挿入し、その挿入の途中で前記端子金具が前記ランスに当接してそのランスを前記撓み空間側へ弾性撓みさせ、前記端子金具が正規挿入された状態では前記ランスが弾性復帰して前記端子金具に対して抜け規制状態に係止し、前記端子金具が前記ランスにより抜け規制された状態から前記リテーナを本係止位置へ移動させることで、前記ランスの前記端子金具からの解離を規制するようにしたコネクタにおいて、前記撓み規制部と前記ランスのうち少なくとも前記ランスには、前記ランスの弾性撓み方向と前記リテーナの仮係止位置と本係止位置との間の移動方向の両方向に対して斜めをなすガイド斜面が形成され、前記ランスにおける前記ガイド斜面の形成領域は、前記ランスの先端から基端に亘っており、前記リテーナが正規の前記仮係止位置よりも前記本係止位置側へ位置ずれした状態では、前記ランスが前記ガイド斜面を介して前記撓み規制部と摺接しつつ前記撓み空間側へ弾性撓みし得る構成とした。
【０００８】
請求項２の発明は、請求項１の発明において、前記リテーナが板状のリテーナ本体部を有しているとともに、前記ハウジング内には前記リテーナ本体部の進入を許容するリテーナ収容空間が前記撓み空間と連通する形態で形成されており、前記リテーナ本体には、前記リテーナが仮係止位置にあるときに前記撓み空間と重なるように位置することで前記ランスの弾性撓みを許容する複数の逃がし空間が、貫通孔状に開口して並列状に形成され、前記リテーナ本体部における隣り合う前記逃がし空間の間の梁状部分が、両端を前記リテーナ本体部に支持された形態の前記撓み規制部とされている構成とした。
【０００９】
【発明の作用及び効果】
［請求項１の発明］
リテーナが仮係止位置から本係止位置側へ位置ずれした状態では撓み規制部の一部が撓み空間内に進入するのであるが、ランスはガイド斜面を介して撓み規制部と摺接しつつ撓み空間へ弾性撓みすることができるので、端子金具の挿入動作に支障を来すことはない。
［請求項２の発明］
逃がし空間がリテーナ本体部を貫通する形態で形成されているので、逃がし空間を凹部状とした場合に比べると、リテーナ本体部の板厚を薄くすることができる。また、逃がし空間を貫通孔状としたために、隣り合う逃がし空間の間の撓み規制部は梁状となるのであるが、その梁の形態は両端をリテーナ本体部に支持された両端支持形態なので、強度が確保されている。
【００１０】
【発明の実施の形態】
［実施形態１］
以下、本発明を具体化した実施形態１を図１乃至図２２を参照して説明する。本実施形態のコネクタは、合成樹脂製のハウジング１０と、端子金具３０と、合成樹脂製のリテーナ４０とを備えて構成されている。尚、以下の説明において、前後方向については図４〜図８における左側を前側とし、左右方向については図４及び図５における下側を左側とし（図１〜図３の正面図においては左右逆となる）、上下方向については図１〜図３、図６及び図７を基準とする。
【００１１】
ハウジング１０内には、隔壁１１によって仕切られた複数のキャビティ１２が左右に並んで形成され、各キャビティ１２には、夫々、ランス１３が形成されている。ランス１３は、キャビティ１２の底面から立ち上がる隔壁１１の上端間の橋梁部１４から前方へ片持ち状に延出する形態であって、上下方向への弾性撓みが可能となっている。かかるランス１３の上面における左側縁には、リテーナ４０の仮係止位置と本係止位置との間の移動方向（左右方向）と、ランス１３の弾性撓み方向（上下方向）の両方向に対して斜め方向とされたガイド斜面１５が形成されている（図１９〜図２２を参照）。
【００１２】
ハウジング１０内におけるキャビティ１２及びランス１３の上方には、キャビティ１２に連通するとともに、ハウジング１０の左側面及びハウジング１０の前面に開口するリテーナ収容空間１６が形成されている。このリテーナ収容空間１６のうち、各ランス１３の真上の領域は、端子金具３０の挿入途中においてランス１３が端子金具３０の挿入経路外（上方）へ退避するように弾性撓みすることを許容するための撓み空間１７とされている。また、リテーナ収容空間１６の天井面の後端部位置には、左右方向に延びるガイドリブ１８が形成され、天井面の前端部位置には、係止段部１９と係止突起２０が形成されている。
【００１３】
端子金具３０は、前後方向に細長く、その略前半部分が角筒部３１とされているとともに、後端部が電線接続部３２とされている。角筒部３１は前方に開放され、その内部には、相手側コネクタ（図示せず）の雄端子金具のタブ（図示せず）との接続を行うための弾性接触片（図示せず）が設けられている。この角筒部３１の上面壁には、ランス１３と係止する一次係止部３３が、その上面壁の一部を前方から見て略半円状をなすように叩き出すことによって形成されている。また、角筒部３１の上面壁の後端縁は、リテーナ４０と係止する二次係止部３４となっており、この二次係止部３４の左端部（図４，図５，図１９〜図２２における下端部）には、ハウジング１０に対する端子金具３０の挿入・脱抜方向（前後方向）とハウジング１０に対するリテーナ４０の組付け方向（左右方向）の両方向に対して斜めをなす誘導斜面３５が形成されている。尚、電線接続部３２には電線３６が圧着により接続されている。
【００１４】
リテーナ４０は、リテーナ収容空間１６及び撓み空間１７内に嵌入される板状のリテーナ本体部４１と、このリテーナ本体部４１の前端縁から下方へ延出する略方形の前面壁４２と、リテーナ本体部４１の左側端縁から下方へ延出する左面壁４３とから構成される。
かかるリテーナ４０は、ハウジング１０の左側方からリテーナ収容空間１６内に嵌入され、仮係止位置（図２、図４，図１３，図１４，図１９、図２０を参照）と本係止位置（図３，図５，図１５，図２２を参照）との間で左右方向に変位可能となっている。リテーナ４０が移動する際には、リテーナ本体部４１の上面後端部のガイド溝４４とハウジング１０のガイドリブ１８との嵌合により、リテーナ４０が前後方向への遊動を規制された状態でガイドされるとともに、前面壁４２がハウジング１０の前端面の開口縁に摺接することにより、リテーナ４０が上下方向への遊動を規制される。
【００１５】
リテーナ４０が仮係止位置にある状態では、リテーナ本体部４１の上面前端部の第１係止突起４５と第２係止突起４６が、夫々、ハウジング１０の係止突起２０の左面と係止段部１９とに係止することで、リテーナ４０はハウジング１０に対して左右方向への遊動（ハウジング１０から左方へ抜ける方向の遊動及び本係止位置へ向かう右方への遊動）を規制されている。また、リテーナ４０が本係止位置に変位した状態では、第１係止突起４５が係止突起２０の右面に係止するとともに、前面壁４２の右側縁がハウジング１０の遊動規制部２１の左面に係止することにより、リテーナ４０は左右方向への遊動を規制される。
【００１６】
リテーナ本体部４１には、リテーナ４０が仮係止位置にあるときに撓み空間１７と重なるように位置することでランス１３の上方（端子金具３０の一次係止部３３から解離して撓み空間１７内に進出する方向）への弾性撓みを許容する逃がし空間４７が、リテーナ本体部４１の上下両面間を貫通する孔状をなすように、且つ左右方向（リテーナ４０の仮係止位置と本係止位置との間での移動方向）に並んで複数形成されている。そして、リテーナ本体部４１のうち、隣り合う逃がし空間４７の間の梁状の部分は、前後方向に細長く且つ前後両端部がリテーナ本体部４１に支持（連結）された形態の第１抜止め部４８（本発明の構成要件である撓み規制部）とされている。この第１抜止め部４８は、リテーナ４０が仮係止位置にある状態では、撓み空間１７から左方へ外れることでランス１３の撓み空間１７への弾性撓みを許容するとともに、リテーナ４０が本係止位置にあるときには撓み空間１７内に進出してランス１３に対して上から当接し、もってランス１３の撓み空間１７側への弾性撓みを規制するようになっている。また、この第１抜止め部４８の下端には、その右側縁（リテーナ４０が仮係止位置にあるときに、ランス１３の上面左側縁のガイド斜面１５と対応する縁部）をテーパ状に切欠した形態のガイド斜面４９が形成されている（図１３〜図１８を参照）。このリテーナ４０のガイド斜面の傾斜方向は、リテーナ４０の仮係止位置と本係止位置との間の移動方向（左右方向）と、ランス１３のガイド斜面１５と同じく、ランス１３の弾性撓み方向（上下方向）の両方向に対して斜めとなる方向とされている。
【００１７】
さらに、リテーナ本体部４１の下面には、リテーナ４０が仮係止位置にあるときには端子金具３０の挿入経路（キャビティ１２）から左方へ外れるとともに、リテーナ４０が本係止位置にあるときには端子金具３０の挿入経路内に進出してその端子金具３０の二次係止部３４に対して後方から直接的に係止する段差状の第２抜止め部５０が形成されている。また、この第２抜止め部５０の前面における右側縁（リテーナ４０が仮係止位置にある状態で端子金具３０の誘導斜面３５と対応する縁部）には、リテーナ４０の仮係止位置と本係止位置との間の移動方向（左右方向）と、端子金具３０の挿抜方向（前後方向）の両方向に対して斜め方向の誘導斜面５１が形成されている（図１９〜図２２を参照）。
【００１８】
前面壁４２は、端子金具３０の前端面に対し第２抜止め部５０とは正反対である前方から係止するようにしたものであって、換言すると、端子金具３０を後方から突き当てさせるようにしたものであって、端子金具３０は正規挿入位置に達したところで前面壁４２に突き当たり、これによって端子金具３０はそれ以上の挿入を規制された前止まり状態とされる。この前面壁４２の後端面（端子金具３０が突き当たる面）と第２抜止め部５０における端子金具３０の二次係止部３４への係止面（前端面）との間の前後方向の寸法は、端子金具３０の前端面からその二次係止部３４におけるリテーナ４０との係止面（後端面）までの寸法と同じか、それよりも僅かに大きい寸法に設定されている。また、前面壁４２は、リテーナ４０が仮係止位置から本係止位置に至る移動領域内のいずれの位置にあっても、端子金具３０の挿入経路の前端に位置しており、端子金具３０が必ず突き当たるようになっている。さらに、前面壁４２の後面はリテーナ４０の仮係止位置と本係止位置との間の移動方向と平行な平坦面とされている。
【００１９】
尚、前面壁４２には、リテーナ４０が仮係止位置にあるときにはハウジング１０内の端子金具３０に対して左方へ外れ、リテーナ４０が本係止位置にあるときにはハウジング１０内の端子金具３０と対応する方形のタブ孔５２が形成されている。同じく前面壁４２には、リテーナ４０が仮係止位置にあるときには左右方向においてランス１３と対応するように位置し、リテーナ４０が片係止位置にあるときにはランス１３に対して右方へ外れる方形の治具差込孔５３が形成されている。
【００２０】
本実施形態のコネクタの組付けに際しては、まず、ハウジング１０に対してリテーナ４０を仮係止位置に組み付けておく。この状態では、リテーナ４０の第２抜止め部５０が端子金具３０の挿入経路から左方へ外れた位置にあるので、キャビティ１２に対する端子金具３０の挿入が許容される。また、リテーナ４０の第１抜止め部４８がランス１３に対して左方へ外れた位置にあるとともに逃がし空間４７が撓み空間１７と重なってランス１３の真上に位置するため、ランス１３の上方（端子金具３０の挿入経路から外れて撓み空間１７へ進出する方向）への弾性撓みが許容される。
【００２１】
この状態から各キャビティ１２に端子金具３０を挿入すると、挿入の途中では、ランス１３が角筒部３１の上面壁の一次係止部３３と干渉することによって上方へ弾性撓みさせられ、撓み空間１７及び逃がし空間４７内に進出する。そして、端子金具３０がその前端面をリテーナ４０の前面壁４２に突き当てる正規挿入位置に達すると、弾性復帰したランス１３が一次係止部３３に対して後方から係止する状態となり、もって、ランス１３が端子金具３０を抜止めする。
【００２２】
次に、リテーナ４０を仮係止位置から本係止位置へ押し込むと、リテーナ４０の第２抜止め部５０が端子金具３０の二次係止部３４に対して後方から係止する状態となり、リテーナ４０による端子金具３０の抜止めが行われる。また、リテーナ４０が本係止位置に移動するのに伴い、リテーナ４０の第１抜止め部４８が撓み空間１７内に進入してランス１３に対して上から係止し、リテーナ４０がランス１３の上方への弾性変位を規制する。これにより、リテーナ４０がランス１３を介して端子金具３０を抜止めする状態となる。以上により、端子金具３０が三重の係止状態となって確実に抜止めされる。
【００２３】
リテーナ４０を本係止位置に移動した状態では、前面壁４２のタブ孔５２とハウジング１０内の端子金具３０とが対応し、本実施形態のコネクタを相手側コネクタ（図示せず）と嵌合させると、相手側端子のタブ（図示せず）がタブ孔５２を貫通して角筒部３１内に進入し、端子金具３０と接続する。
また、ハウジング１０から端子金具３０を抜き取る際には、まず、リテーナ４０を本係止位置から仮係止位置へ移動させ、ランス１３に逃がし空間４７を対応させてそのランス１３の弾性撓みを許容する状態とし、第２抜止め部５０を端子金具３０の移動経路の外へ退避させ、治具差込孔５３をランス１３と対応させる。そして、この治具差込孔５３に差し込んだ細長い治具（図示せず）により、ランス１３を、持ち上げるように変位させて端子金具３０の一次係止部３３から外し、その状態を保ったままで、電線３６を摘んで端子金具３０を後方へ引き抜けばよい。
【００２４】
本実施形態は次のような作用、効果を奏する。
本実施形態のコネクタにおいては、ランス１３と第１抜止め部４８の双方に、ランス１３の弾性撓み方向（上下方向）とリテーナ４０の仮係止位置と本係止位置との間の移動方向（前後方向）の両方向に対して斜めをなすガイド斜面１５，４９を形成している。したがって、リテーナ４０が仮係止位置から本係止位置側へ位置ずれした状態では第１抜止め部４８の一部が撓み空間１７内に進入してランス１３の上方に位置した場合（図１６に実線で示す）には、ランス１３が端子金具３０との干渉によって上方へ弾性撓みする過程で、図１７に示すように、ランス１３のガイド斜面１５が第１抜止め部４８のガイド斜面４９に当接し、その後は、両ガイド斜面１５，４９の傾斜により、ランス１３の上動に伴って第１抜止め部４８（リテーナ４０）がランス１３の上方にラップする位置（図１８に鎖線で示す）からランス１３の側方へ外れる正規の仮係止位置（図１８に実線で示す）へ押動され。。つまり、ランス１３は、ガイド斜面１５，４９を介して第１抜止め部４８と摺接しつつ撓み空間１７へ弾性撓みすることができるのであって、これにより、端子金具３０を支障なく挿入させることができる。
【００２５】
また、リテーナ４０のリテーナ本体部４１には、リテーナ４０が仮係止位置にあるときに撓み空間１７と重なるように位置することでランス１３の弾性撓みを許容する複数の逃がし空間４７が形成されているが、この逃がし空間４７はリテーナ本体部４１を貫通する孔状に開口して形成されているので、逃がし空間４７を凹部状とした場合に比べると、リテーナ本体部４１の板厚を薄くすることが実現されている。
【００２６】
また、逃がし空間４７を貫通孔状としたことによって、隣り合う逃がし空間４７の間の第１抜止め部４８は梁状となるのであるが、その梁の形態は両端をリテーナ本体部４１に支持された両端支持形態なので、第１抜止め部４８の強度が確保されている。
本実施形態のコネクタにおいては、リテーナ４０に、端子金具３０に対して後方から係止することでその端子金具３０を抜止め状態とする第２抜止め部５０と、端子金具３０を後方から当接させることでその端子金具３０を前止まり状態とする前面壁４２とを一体的に形成しているので、たとえリテーナ４０がハウジング１０に対してガタ付きを生じたとしても、前面壁４２と第２抜止め部５０との前後方向の間隔は変動しない。したがって、端子金具３０がリテーナ４０に対して挿抜方向へ遊動することが防止される。
【００２７】
また、前面壁４２は、リテーナ４０が仮係止位置から本係止位置に至るいずれの位置にあっても、端子金具３０が当接し得る形態とされ、その前面壁４２の後面（端子金具３０が突き当たる面）は、リテーナ４０の仮係止位置と本係止位置との間の移動方向と平行な平坦面とされている。したがって、リテーナ４０を仮係止位置から本係止位置へ移動させる際には、前面壁４２と既に前面壁４２に当接されている端子金具３０とが摺接するようになり、リテーナ４０の移動に伴って前面壁４２と端子金具３０とが引っ掛かりを生じることがない。
【００２８】
また、リテーナ４０の第２抜止め部５０と端子金具３０の二次係止部３４の双方には、リテーナ４０の仮係止位置から本係止位置へ移動方向に対して斜め方向の誘導斜面３５，５１が形成されている。したがって、リテーナ４０を仮係止位置から本係止位置へ移動させる際に、端子金具３０が前面壁４２への突き当たり位置（正規挿入位置）よりも後方へ位置ずれしていても（図２０を参照）、互いに当接した誘導斜面３５，５１同士の傾斜により（図２１を参照）、リテーナ４０の移動に伴って端子金具３０が前方へ押されて前面壁４２に当接する所定の前止まり位置に至る（図２２を参照）。つまり、リテーナ４０の本係止位置への押し込み操作に際して、リテーナ４０と端子金具３０との間で引っ掛かり生じることない。
【００２９】
本実施形態のコネクタにおいては、端子金具３０が正規挿入されたときには、第１抜止め部４８が撓み空間１７内に進入してランス１３の端子金具３０から解離する方向への弾性撓みを規制するとともに、第２抜止め部５０が端子金具３０に直接的に係止するので、端子金具３０は第１抜止め部４８と第２抜止め部５０との２つ抜止め部によって確実に抜止めされる。また、端子金具３０が半挿入状態（端子金具３０の誘導斜面３５がリテーナ４０の誘導斜面５１よりも後方へずれいてる状態）のときには、一次係止部３３との干渉によって撓み空間１７内へ弾性撓みしているランス１３に対し、リテーナ４０の第１抜止め部４８が側方から干渉するとともに、第２抜止め部５０が端子金具３０の角筒部３１に対して側方から干渉するので、ハウジング１０に対するリテーナ４０の組付け動作が規制され、これによって、端子金具３０が半挿入状態であることが判る。このように、リテーナ４０には、第１抜止め部４８と第２抜止め部５０との２つの抜止め部が設けられているので、たとえコネクタの小型化などのためにいずれか一方の抜止め部を狭小化した場合でも、もう一方の抜止め部によって端子金具３０を確実に抜止めすることができるとともに、確実に半挿入検知を行うことができるようになっている。
【００３０】
また、各端子金具３０とその端子金具３０に係止されるランス１３とそのランス１３が弾性撓みする撓み空間１７との並び方向（上下方向）が、複数の端子金具３０の並び方向である左右方向に対して直交する方向とされているので、並列する端子金具３０のピッチを狭めても撓み空間１７が狭められることはなく、この撓み空間１７に進入されるリテーナ４０の第１抜止め部４８を薄肉化する必要もない。したがって、端子金具３０の並列ピッチを小さくすることに起因して第１抜止め部４８による抜止め機能と半挿入検知機能が低下する虞はない。
【００３１】
また、ハウジング１０に対するリテーナ４０の組付け方向が、複数の前記端子金具３０の並列方向（左右方向）と平行な向きとされているので、その並列する複数の端子金具３０を１つの段とする多段構造（本実施形態では単段構造である）とすることが可能となっている。
また、ハウジング１０に組み付けられたリテーナ４０は、端子金具３０の挿入を許容する仮係止位置と、端子金具３０を抜止めする本係止位置との間での移動を可能とされているので、端子金具３０の挿入現場へハウジング１０とリテーナ４０を入荷する際には、ハウジング１０に対してリテーナ４０を仮係止位置に組み付けておくことができる。したがって、入荷の際の部品管理を簡素化することが可能となっている。
【００３２】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではガイド斜面を撓み規制部とランスの両方に形成したが、本発明によれば、ガイド斜面はランスのみに形成してもよい。
【００３３】
（２）上記実施形態では端子金具とその端子金具に係止されるランスとその撓み空間との並び方向が、端子金具同士の並列後方に対して直交する方向である場合について説明したが、本発明は、端子金具とその端子金具に係止されるランスとその撓み空間との並び方向が、端子金具同士の並び方向と平行である場合にも適用することができる。
（３）上記実施形態ではハウジングに対するリテーナの組付け形態を端子金具の挿入方向に対して直交する方向へ直線的に移動させるようにしたが、本発明によれば、ハウジングに対してリテーナを前方から（端子金具の挿入方向と平行な方向に）組み付けて仮係止位置とし、仮係止位置と本係止位置との間ではリテーナを側方（端子金具の挿入方向と直交する方向）へ移動させるようにしてもよい。
【００３４】
（４）上記実施形態ではリテーナにおける仮係止位置と本係止位置との間の移動方向が端子金具の挿入方向に対して直交する方向である場合について説明したが、本発明は、リテーナの仮係止位置から本係止位置への移動方向が端子金具の挿入方向とは正反対の方向である場合にも適用することができる。
（５）上記実施形態では撓み規制部を両端支持形態の梁状としたが、本発明によれば、撓み規制部を片持ち梁状としてもよい。
【図面の簡単な説明】
【図１】実施形態１においてリテーナをハウジングから外した状態の正面図
【図２】ハウジングに対しリテーナを仮係止位置に組み付けた状態の正面図
【図３】ハウジングに対しリテーナを本係止位置に組み付けた状態の正面図
【図４】ハウジングに対しリテーナを仮係止位置に組み付けた状態の水平断面図
【図５】ハウジングに対しリテーナを本係止位置に組み付けた状態の水平断面図
【図６】ハウジングに端子金具を正規挿入した状態の縦断面図
【図７】端子金具の挿入途中の状態の縦断面図
【図８】ハウジングの側面図
【図９】リテーナの斜視図
【図１０】リテーナの平面図
【図１１】リテーナの底面図
【図１２】図１０のＸ−Ｘ線断面図
【図１３】端子金具の挿入途中におけるランスと第１抜止め部の位置関係をあらわす横断面図
【図１４】正規挿入された端子金具にランスが係止している状態におけるランスと第１抜止め部の位置関係をあらわす横断面図
【図１５】第１抜止め部がランスの弾性撓みを規制した状態におけるランスと第１抜止め部の位置関係をあらわす横断面図
【図１６】リテーナが仮係止位置から本係止位置側へ位置ずれした状態におけるランスと第１抜止め部の位置関係をあらわす横断面図
【図１７】リテーナが仮係止位置から本係止位置側へ位置ずれし、ランスの弾性撓みの途中でガイド斜面同士が当接している状態におけるランスと第１抜止め部の位置関係をあらわす横断面図
【図１８】リテーナが仮係止位置から本係止位置側へ位置ずれし、ランスの弾性撓みの途中でガイド斜面の傾斜によりランスが第１抜止め部を仮係止位置側へ押動した状態におけるランスと第１抜止め部の位置関係をあらわす横断面図
【図１９】端子金具が正規挿入されているとともにリテーナが仮係止位置にある状態をあらわす部分拡大水平断面図
【図２０】端子金具が半挿入の状態をあらわす部分拡大水平断面図
【図２１】半挿入の端子金具の誘導斜面に対し、リテーナが仮係止位置から本係止位置へ移動する途中でその誘導斜面を当接させた状態をあらわす部分拡大水平断面図
【図２２】誘導斜面の傾斜により、リテーナが半挿入の端子金具を正規挿入位置へ押動するとともに本係止位置へ移動した状態をあらわす部分拡大水平断面図
【符号の説明】
１０…ハウジング
１３…ランス
１５…ガイド斜面
１６…リテーナ収容空間
１７…撓み空間
３０…端子金具
４０…リテーナ
４１…リテーナ本体部
４７…逃がし空間
４８…第１抜止め部（撓み規制部）
４９…ガイド斜面
【図１】
0003755431.tif 000002
【図２】
0003755431.tif 000003
【図３】
0003755431.tif 000004
【図４】
0003755431.tif 000005
【図５】
0003755431.tif 000006
【図６】
0003755431.tif 000007
【図７】
0003755431.tif 000008
【図８】
0003755431.tif 000009
【図９】
0003755431.tif 000010
【図１０】
0003755431.tif 000011
【図１１】
0003755431.tif 000012
【図１２】
0003755431.tif 000013
【図１３】
0003755431.tif 000014
【図１４】
0003755431.tif 000015
【図１５】
0003755431.tif 000016
【図１６】
0003755431.tif 000017
【図１７】
0003755431.tif 000018
【図１８】
0003755431.tif 000019
【図１９】
0003755431.tif 000020
【図２０】
0003755431.tif 000021
【図２１】
0003755431.tif 000022
【図２２】
0003755431.tif 000023